(57)【特許請求の範囲】
【請求項１】
止血用カフを置くための少なくとも１つの収容空間を有するケースと、前記止血用カフとを備え、前記ケースの一つの側面には前記止血用カフの端部が抜け出るための開口が設けられた止血用カフの所定の長さを自動に識別する係合構造であって、
前記止血用カフの長手方向に所定の長さに応じて間隔を置いて孔が開設されており、前記ケースの一つの側面には、突起が設けられており、前記開口を経由して止血用カフを抽出する過程において、止血用カフの所定の長さへの位置決め識別のために前記突起が前記止血用カフにおける孔に入り、
止血用カフを引き裂く過程において、前記突起は前記止血用カフにおける前記孔に位置して前記止血用カフを破裂させることを補助し、
前記止血用カフの長手方向に間隔を置いて幅方向における破裂線を設けてあり、前記孔は、該破裂線の一側に位置し、かつ該破裂線に隣接し、該破裂線は、該孔よりも前記止血用カフの抽出側に設けられている
ことを特徴とする止血用カフの所定の長さを自動に識別する係合構造。
【請求項２】
前記開口と前記突起は前記ケースの上側面に設けられており、前記上側面において第１の側面（123）と第２の側面（124）と第３の側面（125）とが連続しており、前記第１の側面（123）は前記第３の側面（125）よりも高く、前記第２の側面（124）は前記第１の側面（123）及び第３の側面（125）の間に設けられており、前記突起は前記第３の側面（125）に設けられていることを特徴とする請求項１に記載の係合構造。
【請求項３】
前記ケースには、押さえ機構が設けられ、前記押さえ機構はローラ（6）とシート状カバー（7）を備え、前記ローラ（6）はア軸（16）により前記開口に設けられており、前記シート状カバー（7）には、１つの枢着端と１つの自由端が設けられ、枢着端はイ軸（15）により前記開口に枢着されており、前記枢着端と前記ローラとが係合して止血用カフを両者の間に押し付けることを特徴とする請求項１または２に記載の係合構造。
【請求項４】
前記ケースは位置決め軸と台座をさらに備え、
前記位置決め軸は前記ケースの底面に固定され、
前記台座は回転可能的に前記位置決め軸にスリーブされ、止血用カフは前記台座に巻き付けられた
ことを特徴とする請求項１ないし３のいずれか一項に記載の係合構造。
【請求項５】
前記ケースは位置決め軸、軸受けと台座をさらに備え、
前記位置決め軸は前記ケースの底面に固定され、
前記軸受けは前記位置決め軸と係合し、前記台座は前記軸受けにスリーブされ、止血用カフは前記台座に巻き付けられた
ことを特徴とする請求項１ないし３のいずれか一項に記載の係合構造。
【請求項６】
前記台座と前記ケースの間には、ダンパ装置がさらに設けられており、
前記ダンパ装置は、止血用カフの抽出過程において前記台座の慣性による非主観的回転を避けるために用いられる
ことを特徴とする請求項４または５に記載の係合構造。
【請求項７】
前記ダンパ装置は、ばねとスチールボールを含み、前記台座には、ブラインドホールが開設され、前記ばねとスチールボールは前記ブラインドホールに順に置かれて、しかも前記スチールボールは前記ケースの底面における凹溝と係合する
ことを特徴とする請求項６に記載の係合構造。
【請求項８】
止血用カフのケースであって、
前記ケースは止血用カフを置くための少なくとも１つの収容空間を有し、前記ケースの一つの側面には前記止血用カフの端部が抜け出るための開口が設けられおり、
前記ケースの一つの側面には、突起が設けられており、前記開口を経由して止血用カフを抽出する過程において、止血用カフの所定の長さへの位置決め識別のために前記突起が前記止血用カフにおける孔に入り、止血用カフを引き裂く過程において、前記突起は前記止血用カフにおける前記孔に位置して前記止血用カフを破裂させることを補助し、
前記ケースには、押さえ機構が設けられ、前記押さえ機構はローラ（6）とシート状カバー（7）を備え、前記ローラ（6）はア軸（16）により前記開口に設けられており、前記シート状カバー（7）には、１つの枢着端と１つの自由端が設けられ、枢着端はイ軸（15）により前記開口に枢着されており、前記枢着端と前記ローラとが係合して止血用カフを両者の間に押し付ける
ことを特徴とするケース。
【請求項９】
前記開口と前記突起は前記ケースの上側面に設けられており、前記上側面において第１の側面（123）と第２の側面（124）と第３の側面（125）とが連続しており、前記第１の側面（123）は前記第３の側面（125）よりも高く、前記第２の側面（124）は前記第１の側面（123）及び第３の側面（125）の間に設けられており、前記突起は前記第３の側面（125）に設けられていることを特徴とする請求項８に記載のケース。
【請求項１０】
位置決め軸と台座をさらに備え、
前記位置決め軸は前記ケースの底面に固定され、
前記台座は回転可能的に前記位置決め軸にスリーブされ、止血用カフは前記台座に巻き付けられた
ことを特徴とする請求項８又は９に記載のケース。
【請求項１１】
位置決め軸、軸受けと台座をさらに備え、
前記位置決め軸は前記ケースの底面に固定され、
前記軸受けは前記位置決め軸と係合し、前記台座は前記軸受けにスリーブされ、止血用カフは前記台座に巻き付けられた
ことを特徴とする請求項８又は９に記載のケース。
【請求項１２】
前記台座と前記ケースの間には、ダンパ装置がさらに設けられており、
前記ダンパ装置は、止血用カフの抽出過程において前記台座の慣性による非主観的回転を避けるために用いられる
ことを特徴とする請求項１０または１１に記載のケース。
【請求項１３】
前記ダンパ装置は、ばねとスチールボールを含み、前記台座には、ブラインドホールが開設され、前記ばねとスチールボールは前記ブラインドホールに順に置かれて、しかも前記スチールボールは前記ケースの底面における凹溝と係合する
ことを特徴とする請求項１２に記載のケース。
【発明の詳細な説明】
【技術分野】
【０００１】
本発明は、医療機械に関し、特に止血用カフとケースとの配合構造、および、ケースにおける止血用カフを所定の長さの点にて迅速に破裂させ、抽出過程において所定の長さを自動に識別する方法に関する。
【背景技術】
【０００２】
従来技術におけるホース型止血用カフについて、繰返し使用されたり、交錯使用されたりし、消毒が不充分であるなどの問題が存在し、止血用カフの使用が不衛生である場合が存在する。
【０００３】
ホース型止血用カフの改良型として、使い捨ての止血用カフの多くは、長尺なシート状であり、本を単位にし、一本で個別にパッケージングされている。看護師は、高頻度で使用している過程において、作業効率が包装の取り外しによる影響を受け、作業効能が大幅に低下した。
【０００４】
連続抽出型の止血用カフを使用するとき、止血用カフ単体を一本の止血用カフ全体から分離する過程において、止血用カフと配合したケースでは、止血用カフにおける破裂する所定の長さを自動に識別することができないため、利用者は止血用カフの抽出過程中の抽出の長さに注目する必要がある。従来技術では、補助マーク付けの方法を採用することが一般的である。例えば、中国特許第200920265929.1号によると、破裂線付近に目立ったマークを付け、例えば、赤点または他の色でマークするなどの方式により、止血用カフの破裂線の位置を利用者に提示し、利用者が「どこに破裂線があるか」を把握することに協力する。そして、別の補助機構、例えば、ビード、セレーションビード等を用いて、破裂線付近に止血用カフを押し付け、その後、止血用カフを、所定の位置に破裂させるように強く引っ張る。
【０００５】
過程全体からすれば、依然として、利用者は止血用カフをじっと見つけて、止血用カフの抽出の長さを観察し、破裂線の提示マークを見てから判断し、抽出を停止させる必要がある。その後、補助機構を用いて止血用カフを押し付けて引っ張ることにより、止血用カフ単体を一本の止血用カフ全体から分離させる。その過程において、利用者の目による注目、両手による押し付けや引き裂きの操作が必要とされたので、看護師の作業強度を潜在的に増やしてしまい、利用も不便となった。
【０００６】
したがって、抽出過程において、どのようにして、利用者の目や両手を解放させ、操作工程を簡素化するかということは、業界で解決しようとする技術的難題となった。
【発明の概要】
【０００７】
本発明は、止血用カフを迅速に破裂させ、所定の長さを自動に識別できる配合構造を提供することを目的にしている。
【０００８】
本発明の発明目的は以下のように実現される。
【０００９】
止血用カフの所定の長さを自動に識別する配合構造において、少なくとも１つの収容空間を有するケースと、前記収容空間に設けられた止血用カフとを備え、前記ケースには止血用カフの端部が抜け出るための開口が設けられ、所定の長さに応じて前記止血用カフの長手方向に間隔を置いて孔が開設され、前記ケースには、前記孔と配合した突起が設けられており、止血用カフを抽出する過程において、前記孔と前記突起とが配合し、止血用カフを引き裂く過程において、前記孔は、前記止血用カフの所定の長さへの位置決め識別や前記止血用カフを前記孔に破裂させることに補助するために用いられる。そのうち、前記止血用カフは、N個の所定の長さを有する止血用カフ単体によって接続されてなされる。前記止血用カフは、収容空間において、積み重ねられたり、巻きつけられたりする方式などであってもよい。
【００１０】
前記孔は、止血用カフの長手方向に均等距離で分布してもよいし、不均等距離で分布してもよい。さらに、所定の長さに応じて前記止血用カフの長手方向に間隔を置いて孔群が開設されてもよい。それぞれの孔群は少なくとも２つの孔を有し、前記孔は２つ、３つ等であってもよい。同一の止血用カフの幅方向において、前記孔群における前記孔は、上下に配列して設置されている。各止血用カフ単体には、少なくとも１つの前記孔が設けられている。
【００１１】
さらに、前記止血用カフには、破裂線が設けられている。前記孔は、前記破裂線に位置してもよいし、前記破裂線の一側または両側に位置してもよく、かつ、前記破裂線に隣接する。即ち、隣り合う２つの止血用カフ単体同士の間には少なくとも１本の前記破裂線が設けられている。
【００１２】
さらに、止血用カフを抽出する過程において、前記孔は前記突起と一々対応して配合した。例えば、１つの前記孔は１つの前記突起と配合し、２つの前記突起は２つの前記孔と配合したこと等が挙げられる。または、１つの前記孔は１つ以上の前記突起と配合し、例えば、１つの前記孔は２つまたは３つの前記突起と配合してもよい。
【００１３】
さらに、前記配合構造は、前記ケースに固定された位置決め軸をさらに備え、ベースシートは前記固定軸にスリーブされて、位置決め軸に対して回転することもでき、前記止血用カフはベースシートに巻き付けられている。ベースシートはダンパ軸受であってもよい。
【００１４】
さらに、前記配合構造は、前記ケースに固定された位置決め軸をさらに備え、軸受は位置決め軸と配合し、ベースシートは前記軸受にスリーブされ、前記止血用カフはベースシートに巻き付けられている。
【００１５】
さらに、前記ベースと前記ケースの間には、ダンパ装置がさらに設けられており、抽出過程において、前記ダンパ装置は、前記ベースシートの回転慣性による非主観的回転を避けるために用いられる。
【００１６】
前記配合構造は、軸受をさらに備え、前記止血用カフはベースシートに巻き付けられており、前記ベースシートは前記軸受にスリーブされて前記軸受と配合し、前記軸受は前記固定軸と配合し、前記固定軸は前記ケースに固定されている。
【００１７】
さらに、止血用カフの所定の長さを自動に識別する配合構造は、ケースカバーをさらに備え、前記ケースカバーはケースと配合し、前記収容空間を遮蔽するために用いられる。押さえ機構をさらに備えてもよい。前記押さえ機構は前記開口に設けられており、前記止血用カフが前記開口に押さえられている。前記止血用カフ単体を前記止血用カフから分離させるとき（即ち、止血用カフを前記孔に引き裂く過程において）、止血用カフの弾性及び復元力によって前記止血用カフが前記収容空間内に反発されることを避ける。
【００１８】
さらに、台座がさらに設けられており、前記配合構造は前記台座と配合し、前記配合構造は前記台座の上に置かれ、または、溝が設けられた台座に置かれ、前記配合構造は前記台座の溝に置かれている。
【００１９】
本発明のもう１つの発明の目的は、止血用カフの所定の長さを自動に識別して迅速に破裂させる方法を提供することである。
【００２０】
本発明の発明目的は以下のように実現される。
【００２１】
止血用カフの所定の長さを自動に識別して迅速に破裂させる方法であって、少なくとも１つの収容空間を有するケースを取り、止血用カフを前記収容空間内に置き、前記ケースには、前記止血用カフの端部が抜け出るための開口が設けられており、所定の長さに応じて止血用カフの長手方向に間隔を置いて孔を開設し、前記ケースには突起が設けられており、止血用カフを前記開口から抽出する過程において、前記突起と前記孔との自動的配合が形成され、前記突起は前記孔に係合されているので、前記突起により前記止血用カフの所定の長さを自動に識別し、同時に、前記止血用カフが前記突起と配合したとき、前記孔に一対の反方向付勢力、即ち、止血用カフの抽出方向からの力と前記突起が前記止血用カフの抽出方向に与えた１つの反方向付勢力とを受け、前記突起は前記止血用カフを前記孔から迅速に破裂させることに補助する。
【００２２】
さらに、前記止血用カフの長手方向に間隔を置いて破裂線が設けられており、前記孔は前記破裂線に設けられており、止血用カフを前記開口から抽出する過程において、前記突起と前記孔との自動的配合が形成され、前記突起は前記孔に係合されているので、前記突起により前記止血用カフの所定の長さを自動に識別し、同時に、止血用カフを前記孔及び前記破裂線に迅速に破裂させることに補助する。
【００２３】
少なくとも１つの収容空間を有するケースを取り、止血用カフを前記収容空間内に置き、前記ケースには、前記止血用カフの端部が抜け出るための開口が設けられており、所定の長さに応じて止血用カフの長手方向に間隔を置いて孔を開設するとともに幅方向に間隔を置いて破裂線を設け、前記孔は前記破裂線に隣接し、前記ケースには突起が設けられており、止血用カフを前記開口から抽出する過程において、前記突起と前記孔との自動的配合が形成され、前記突起は前記孔に係合されているので、前記突起により前記止血用カフの所定の長さを自動に識別し、同時に前記止血用カフを前記破裂線に迅速に破裂させることに補助してもよい。
【００２４】
本発明の方法によれば、両手による操作を要せず、補助機構、例えばジグザグ状押さえ体等をさらに要することなく、止血用カフを抽出すればよい。前記突起による阻止で、利用者は前記止血用カフに対して抽出方向からの付勢力を与え、同時に、前記突起は止血用カフに対して反方向からの付勢力を与え、それにより、止血用カフ単体を、止血用カフから非常に便利かつ迅速に分離させることができる。
【００２５】
本発明の更なる１つの発明の目的は、止血用カフの所定の長さを自動に識別する方法を提供することである。
【００２６】
本発明の発明目的は以下のように実現される。
【００２７】
止血用カフの所定の長さを自動に識別する方法であって、少なくとも１つの収容空間を有するケースを取り、止血用カフを前記収容空間内に置き、前記ケースには、前記止血用カフの端部が抜け出るための開口が設けられており、所定の長さに応じて止血用カフの長手方向に間隔を置いて孔を設け、前記ケースには突起が設けられており、止血用カフを前記開口から抽出する過程において、前記突起は前記孔に自動に係合されており、前記突起と前記孔との自動的配合が形成され、それにより、前記突起により前記止血用カフの所定の長さを自動に識別する。
【図面の簡単な説明】
【００２８】
【図１】本発明に係るケースとケースカバーの組合わせの概略図である。
【図２】本発明に係るケースの構造概略図である。
【図３】本発明に係るダンパ装置の概略図である。
【図４】本発明に係る止血用カフの１つの孔とケースにおける２つの突起との配合構造概略図である。
【図５】本発明に係る止血用カフの概略図−１である。
【図６】本発明に係る止血用カフの概略図−２である。
【図７】本発明の一実施例におけるケース上の１つの突起と１つの孔とが配合した概略図である。
【図８】本発明の一実施例における底面の同一側に２つの位置決め軸が配合して設けられた構造概略図である。
【図９】本発明の一実施例におけるダンパ装置と底面上の凹溝との配合概略図−１である。
【図１０】本発明の一実施例におけるダンパ装置と底面上の凹溝との配合概略図−１である。
【図１１】本発明の一実施例における止血用カフ3Aの概略図である。
【図１２】本発明の一実施例における止血用カフ3Bの概略図である。
【図１３】本発明の一実施例における１つの収容空間と２つの開口を有するケースの構造概略図である。
【発明を実施するための形態】
【００２９】
以下は、本発明について、図１〜図７を参照しながら説明する。
【００３０】
実施例１：止血用カフの所定の長さを自動に識別する配合構造は、ケース1と止血用カフ3を備える。ケース1は１つの収容空間13を有する。止血用カフ3は収容空間13においてコイル状に巻かれて置かれ、ケース1には、止血用カフ3の端部が抜け出るための開口4が設けられており、止血用カフの長手方向に間隔45cmを置いて孔31が設けられており、止血用カフ単体の所定の長さは35cm、40cm等であってもよい。具体的には、ユーザの要求に応じて設定されてもよい。
【００３１】
止血用カフ3は収容空間13に積み重ねられてもよい。
【００３２】
ケース1には、孔31と配合した突起5が設けられており、止血用カフ3を抽出する過程において、孔31は突起5と配合し、止血用カフを引き裂く過程において、孔31は、止血用カフ3の所定の長さの位置決めを識別するとともに、止血用カフ3を孔31との接続箇所32に迅速に破裂させることにも協力するために用いられる。
【００３３】
実施例２：図１〜図７を結び付けながら、本発明について、さらに説明する。
【００３４】
止血用カフの所定の長さを自動に識別する配合構造は、１つのケース1とケースカバー２を備え、ケース1は１つの底面11と、底面11と接続された側面12を有し、側面12と底面11とが共同で１つの収容空間13を形成した。ケースカバー2とケース1とが配合して、収容空間13を遮蔽するために用いられる。
【００３５】
ケース1の底面11には位置決め軸14が設けられており、位置決め軸14は底面11と一体化され、位置決め軸14は底面11から法線ベクトルの方向に沿って外へ突起して形成された。止血用カフ3は台座18に巻きつけられ、台座18は位置決め軸14にスリーブされて収容空間13に置かれている。
【００３６】
台座18とケース1との間にダンパ装置が設けられている。ダンパ装置は、ばね182とスチールボール183を含み、台座18には、ブラインドホール181が開設され、ばね182とスチールボール183はブラインドホール181に順に置かれて、スチールボール183は底面11における凹溝111と配合した。
【００３７】
ケース1には止血用カフを抽出するための開口４が設けられており、止血用カフ3の一端は開口４から抜け出て、止血用カフ3はN個の止血用カフ単体30によって接続されてなされ、２つの隣り合う止血用カフ単体30の接続箇所32同士の間に孔31が設けられており、止血用カフ単体30の接続箇所32同士の間に、幅方向において２つまたは３つの孔31が配列されてもよい。
【００３８】
図４からわかるように、ケース1には突起5Aと突起5Bがさらに設けられ、突起が設けられた側面12は、側面ア121と側面イ122を備え、側面イ122は、第１の側面123が下方へ折り曲げて延長して第２の側面124を形成し、第２の側面124はさらに折り曲げて横方向に延伸して第３の側面125を形成し、第１の側面123は側面ア121よりも低く、突起5Aの最高点51Aと突起5Bの最高点51Bは第１の側面123よりも高く、止血用カフの抽出過程において、止血用カフ3の下面が突起5Aの最高点51Aと突起5Bの最高点51Bよりも低い。
【００３９】
そのうち、突起5Aと突起5Bは１つの孔31と対応して配合し、即ち、突起5Aと突起5Bは孔31に係合されている。複数の突起はそれぞれ、異なる孔と配合してもよいし、複数の突起は１つの孔と配合してもよい。しかし、抽出過程において、少なくとも１つの突起は止血用カフにおける１つの孔と配合した。
【００４０】
ケース1には、押さえ機構がさらに設けられ、押さえ機構はローラ6とシート状カバー7を備え、ローラ6はア軸16により開口４に設けられており、シート状カバー7には、１つの枢着端71と１つの自由端72が設けられ、枢着端71はイ軸15により開口4に枢着されており、枢着端71とローラ6とが配合して止血用カフ3を両者の間に押し付けることで、止血用カフ3は開口４に押さえられ、止血用カフ単体30が止血用カフ3から分離したとき、止血用カフ3の弾性及び復元力によって止血用カフ3が収容空間13内に反発されることを避け、ア軸16とイ軸15はケース1に固定された。自由端72はイ軸15周りに回転することができる。
【００４１】
止血用カフ単体を止血用カフから迅速に分離させる過程において、突起5Aの最高点51Aと突起5Bの最高点51Bはともに、第１の側面123よりも高いので、止血用カフ3が開口４から抽出された場合、止血用カフ3の下面は突起5Aの最高点51Aと突起5Bの最高点51Bよりも同時に低い。ゆえに、止血用カフ3を抽出する過程において、２つの隣り合う止血用カフ単体30の接続箇所32同士の間の孔31と突起5Aと突起5Bとが自動に配合した。即ち、抽出過程において、突起5Aと突起5Bは孔31に到達すると、孔31に自動に入れてそこに係合されている。突起5Aと突起5Bは止血用カフ3における止血用カフ単体30の所定の長さを自動に識別し、止血用カフ3が開口４から引続き抽出されることを阻止し、突起5Aと突起5Bは止血用カフ3の抽出方向に対して１つの反方向の付勢力を与え、抽出方向の力を結び付けて止血用カフ単体30同士の間の接続箇所32を迅速に破裂させることで、止血用カフ単体30を止血用カフ3から迅速に分離させる。
【００４２】
本発明によれば、両手による操作を要せず、補助機構、例えばジグザグ状押さえ体等をさらに要することなく、止血用カフを抽出すればよい。突起5による阻止で、利用者は止血用カフに対して１つの抽出方向からの付勢力を与え、同時に、突起5は止血用カフに対して１つの反方向からの付勢力を与え、それにより、止血用カフ単体30を、止血用カフ3から非常に便利かつ迅速に分離させることができる。
【００４３】
抽出過程において、前記止血用カフ3は水平の抽出方向及び下向きの力を受けたので、突起5は孔31に自動に係合されている。孔31は止血用カフ3において止血用カフ単体30の長さの間隔に応じて設けられたので、突起5と孔31が同時に一回配合すれば、止血用カフ単体30を自動に一回識別することとなる。
【００４４】
実施例３：図５及び図７を参照しながら、本発明をさらに説明する。
【００４５】
所定の長さを自動に識別して迅速に破裂することができる止血用カフの配合構造は、１つのケース1と止血用カフ3を備え、ケース1は１つの底面11と、底面11と接続された側面12を有し、側面12と底面11とが共同で１つの収容空間13を形成した。
【００４６】
ケース1の底面11には位置決め軸11が設けられており、位置決め軸14は底面11と一体化され、位置決め軸14は底面11から法線ベクトルの方向に沿って外へ突起して形成された。止血用カフ3はベースシート18に巻きつけられ、ベースシート18は位置決め軸14にスリーブされて収容空間13に設けられている。
【００４７】
ケース1には止血用カフを抽出するための開口4が設けられており、止血用カフ3の一端は開口４から抜け出て、止血用カフ3はN個の止血用カフ単体30によって接続されてなされ、２つの隣り合う止血用カフ単体30の接続箇所32に孔31と破裂線30が設けられており、孔31は破裂線38に位置する。図６に示すように、止血用カフ単体30の接続箇所32は幅方向において２つの孔31と破裂線38を並列に設けてもよい。孔31は破裂線38の一側に位置し、かつ、破裂線38に隣接する。
【００４８】
ケース1には突起5がさらに設けられ、突起が設けられた側面12は、側面ア121と側面イ122を備え、側面イ122は、第1の側面123が下方へ折り曲げて延長して第２の側面124を形成し、第２の側面124はさらに折り曲げて横方向に延伸して第3の側面125を形成し、第１の側面123は側面ア121よりも低く、突起5の最高点51は第１の側面123よりも高く、配合過程において、止血用カフ3の下面が突起5の最高点51よりも低い。
【００４９】
そのうち、止血用カフ3を抽出する過程において、止血用カフを開口から抽出し、止血用カフにおける孔31と突起5は一々対応して配合し、突起5は孔31に係合されている。複数の突起はそれぞれ、異なる孔に配合してもよいし、複数の突起は１つの孔に配合してもよい。
【００５０】
ケース1には、押さえ機構がさらに設けられ、押さえ機構はローラ6とシート状カバー7を備え、ローラ6はア軸16により開口4に設けられており、シート状カバー7には、１つの枢着端71と１つの自由端72が設けられ、枢着端71はイ軸15により開口4に枢着されており、枢着端71とローラ6とが配合して止血用カフ3を両者の間に押し付けることで、止血用カフ3は開口４に押さえられ、止血用カフ単体30が止血用カフ3から分離したとき、止血用カフ3の弾性及び復元力によって止血用カフ3が収容空間13内に反発されることを避け、ア軸16とイ軸15はケース1に固定された。自由端72はイ軸15周りに回転することができる。
【００５１】
ケース1における突起5は止血用カフ3における孔31に自動に係合されている。止血用カフを抽出する過程において、止血用カフ3における孔31は所定の長さに応じて開設されたものであるため、突起5が孔31に係合された場合、所定の長さに対する自動な識別を実現できる。
【００５２】
次は、突起5が止血用カフ3における孔31に係合されているため、止血用カフ3における孔31の接続箇所32に抽出方向からの力と突起5から与えられた抽出方向とは反対する付勢力とを受け、それにより、止血用カフ3は接続箇所32と破裂線38に破裂しやすくなる。
【００５３】
実施例４：図４、図５、図６を結び付けながら、本発明をさらに説明する。
【００５４】
止血用カフの所定の長さを自動に識別して迅速に破裂させる方法であって、１つの収容空間を有するケース1を取り、止血用カフ3を台座18に巻き付けてから固定軸14にスリーブするとともに収容空間13に置き、ケース1には止血用カフ3の端部が抜け出るための開口4を有し、所定の長さに応じて止血用カフ3の長手方向に間隔を置いて孔31と破裂線38を設け、孔31は破裂線38に位置し、所定の長さは止血用カフ単体30の長さである。ケース1には突起5Aと突起5Bが設けられ、止血用カフ3の一端を開口4から抽出し、止血用カフ3の抽出過程において、突起5Aと突起5Bは孔31に自動に係合されており、突起5と孔31との自動的配合が形成され、それにより、突起5Aと突起5Bが孔31に係合されていることにより、止血用カフ3における所定の長さに対する自動な識別を実現する。同時に、突起5Aと突起5Bの配合時、止血用カフ3は孔31に一対の反方向からの付勢力を受け、即ち、止血用カフの抽出方向からの力と、突起5Aと突起5Bが止血用カフ3の抽出方向に対して与えた１つの反方向の付勢力を受け、それにより、止血用カフが前記接続箇所32と破裂線38に迅速に破裂されることを実現できる。
【００５５】
実施例５：図４、図５、図６を結び付けながら、本発明をさらに説明する。
【００５６】
止血用カフの所定の長さを自動に識別する方法であって、１つの収容空間13を有するケース1を取り、止血用カフ3を収容空間13に置き、ケース1には止血用カフ3の端部が抜け出るための開口４を有し、所定の長さに応じて止血用カフ3の長手方向に間隔を置いて孔31と破裂線38を設け、孔31は破裂線38に位置し、所定の長さは止血用カフ単体30の長さである。ケース1には突起5Aと突起5Bが設けられ、止血用カフ3を開口4から抽出する過程において、突起5Aと突起5Bは孔31に自動に係合されており、突起3と孔31との自動的配合が形成され、それにより、突起5Aと突起5Bにより、止血用カフ3における所定の長さに対する自動な識別を実現する。
【００５７】
実施例６：図８、図９、図１０、図１１、図１２、図１３を結び付けながら、本発明をさらに説明する。
【００５８】
所定の長さを自動に識別して迅速に破裂することができる止血用カフの配合構造は、１つのケース1A、止血用カフ3A及び止血用カフ3Bを備える。
【００５９】
ケース1Aは、１つの底面11と底面11と接続された側面12を有し、側面12と底面11とが共同で１つの収容空間13Aを形成した。ケース1Aの底面11の同一側に位置決め軸14Aと位置決め軸14Bが設けられている。
【００６０】
位置決め軸14A、位置決め軸14Bは底面11と一体化され、位置決め軸14A、位置決め軸14Bはともに、底面11から法線ベクトルの方向に沿って外へ突起して形成された。位置決め軸14A、位置決め軸14Bは底面11と一体にされていない場合、位置決め軸14A、位置決め軸14Bは固定装置により底面11に固定されてもよい。
【００６１】
台座18Aは位置決め軸14Aと配合し、止血用カフ3Aは台座18Aに巻きつけられており、台座18Aは軸受け17Aに回転可能的にスリーブされて、収容空間13Aに置かれてもよい。
【００６２】
台座18Bは位置決め軸14Bと配合し、止血用カフ3Bは台座18Bに巻きつけられており、台座18Bは軸受け17Bに回転可能的ににスリーブされて、収容空間13Aに置かれてもよい。
【００６３】
軸受け17Aと軸受け17Bが使用されない場合、止血用カフ3Aは台座18Aに巻きつけられており、台座18Aは位置決め軸14Aに回転可能的にスリーブされて、収容空間13Aに置かれてもよい。台座18Bは位置決め軸14Bと配合し、止血用カフ3Bは台座18Bに巻きつけられており、台座18Bは軸受け17Bに回転にスリーブされて、収容空間13Aに置かれてもよい。
【００６４】
または、台座18Aと台座18Bはダンパ軸受であり、ダンパ軸受は位置決め軸と配合し、止血用カフはダンパ軸受けに直接に巻き付けられている。
【００６５】
ケース1Aには、止血用カフ3Aを抽出するための開口4Aと止血用カフ3Bを抽出するための開口4Bが設けられている。
【００６６】
止血用カフ3Aには、所定の長さに応じて止血用カフの長さ方向に間隔を置いて孔31Aが設けられており、止血用カフ単体30Aの接続箇所32A同士の間に止血用カフの幅方向に２つの孔31Aが並列に設置されており、止血用カフ3Bには、所定の長さに応じて止血用カフの長さ方向に間隔を置いて孔31Bが設けられており、止血用カフ単体30Bの接続箇所32B同士の間に止血用カフの幅方向に２つの孔31Bが並列に設置されている。所定の長さは35cm、40cm、45cm等であってもよい。
【００６７】
図１１に示すように、止血用カフ3Aの一端が開口4Aから抜け出て、止血用カフ3AはN個の止血用カフ単体30Aによって接続されて形成され、２つの隣り合う止血用カフ単体30Aの接続箇所32A同士の間に１つの孔31Aと破裂線38Aが設けられており、孔31Aは破裂線38Aの一側に位置する。
【００６８】
図１２に示すように、止血用カフ3Bの一端が開口4Bから抜け出て、止血用カフ3BはN個の止血用カフ単体30Bによって接続されて形成され、２つの隣り合う止血用カフ単体30Bの接続箇所32B同士の間に上下配列された２つの孔31Bと破裂線38Bが設けられており、孔31Bは破裂線38Bの一側に位置する。
【００６９】
ケース1Aには、突起5A、突起5B、突起5C、突起5Dがさらに設けられている。開口4A側のケースには、突起5Aと突起5Ｃが設けられており、開口4B側のケースには突起5Bと突起5Dが設けられている。
【００７０】
止血用カフ3Aを抽出する過程において、止血用カフ3Aの下面が突起5Aの最高点51Aと突起5Cの最高点51Cよりも低いので、突起5Aと突起5Cはそれぞれ同一の孔31Aに自動に係合されており、突起5Aと突起5Cが同時に孔31Aと配合したことが形成された後、止血用カフ3Aを引続き抽出し、止血用カフ3Aの孔31Aの接続箇所32Aにおいて抽出方向からの力と突起5Aから与えられた抽出方向と反対する付勢力を受け、止血用カフ3Aには破裂線38Aが設けられていない場合、止血用カフを抽出することによって、止血用カフ3Aが接続箇所32Aに破裂するようになった。
【００７１】
例えば、止血用カフ3Aには破裂線38Aが設けられ、かつ、孔31Aが破裂線38Aに位置するとき、抽出過程において、止血用カフ3Aは接続箇所32Aと破裂線38Aに破裂する。
【００７２】
例えば、止血用カフ3Aには破裂線38Aが設けられ、かつ、孔31Aが破裂線38Aの右側に位置するとき、抽出過程において、止血用カフ3Aは破裂線38Aに破裂する。
【００７３】
止血用カフ3Bを抽出する過程において、止血用カフ3Bの下面が突起5Bの最高点51Bと突起5Dの最高点51Dよりも低いので、突起5Bと突起5Dは２つの孔31Bに自動に係合されており、２つの孔31Bは止血用カフの幅方向に上下配列されており、突起5Bと突起5Dがそれぞれ、２つの孔31Bと配合したことが形成された後、止血用カフ3Bを引続き抽出し、止血用カフ3Bの孔31Bの接続箇所32Bにおいて抽出方向からの力と突起5Bから与えられた抽出方向と反対する付勢力を受けたので、止血用カフ3Bが接続箇所32Bに破裂しやすくなる。
【００７４】
例えば、止血用カフ3Bには破裂線38Bが設けられ、かつ、孔31Bが破裂線38Bに位置するとき、抽出過程において、止血用カフ3Bは接続箇所32Bと破裂線38Bに破裂する。
【００７５】
例えば、止血用カフ3Bには破裂線38Bが設けられ、かつ、孔31Bが破裂線38Bの左側に位置するとき、抽出過程において、止血用カフ3Bは破裂線38Bに破裂する。
【００７６】
そのうち、図９を結び付けてからわかるように、止血用カフの所定の長さを自動に識別する配合構造には、ダンパ軸受が設けられていない場合、台座18Aと底面11の間にダンパ装置が設けられてもよい。ダンパ装置は、ばね182とスチールボール183を含み、台座18Aには、ブラインドホール181Aが開設され、ばね182とスチールボール183はブラインドホール181Aに順に置かれて、スチールボール183は底面11における凹溝111と配合する。
【００７７】
図１０を結び付けてからわかるように、止血用カフの所定の長さを自動に識別する配合構造には、ダンパ軸受が設けられていない場合、台座18Bと底面11の間にダンパ装置が設けられてもよい。ダンパ装置は、ばね182とスチールボール183を含み、台座18Bには、ブラインドホール181Bが開設され、ばね182とスチールボール183はブラインドホール181Bに順に置かれて、スチールボール183は底面11における凹溝111Bと配合する。
【００７８】
そのうち、開口4A側の突起は、１つの孔31Aに対応して配合してもよい。複数の突起はそれぞれ、異なる孔と配合してもよいし、複数の突起は１つの孔に配合してもよい。しかし、抽出過程において、少なくとも１つの突起は止血用カフにおける１つの孔31Aと配合する。即ち、突起は孔31Aに係合されている。
【００７９】
開口4B側の突起は、１つの孔31Bに対応して配合する。複数の突起はそれぞれ、異なる孔と配合してもよいし、複数の突起は１つの孔と配合してもよい。しかし、抽出過程において、少なくとも１つの突起は止血用カフにおける１つの孔31Bと配合する。即ち、突起は孔31Bに係合されている。
【００８０】
ケース1Aには、押さえ機構がさらに設けられており、押さえ機構はローラ6Aと、シート状カバー7Aと、ローラ6Bと、シート状カバー7Bを備える。
【００８１】
ローラ6Aはア軸16Aにより開口4Aに設けられており、シート状カバー7Aには、１つの枢着端71Aと１つの自由端72Aが設けられ、枢着端71Aはイ軸15Aにより開口4Aに枢着されており、枢着端71Aとローラ6Aとが配合して止血用カフ3Aを両者の間に押し付けることで、止血用カフ3Aは開口4に押さえられ、止血用カフ単体30Aが止血用カフ3Aから分離したとき、止血用カフ3Aの弾性及び復元力によって止血用カフ3Aが収容空間13内に反発されることを避け、ア軸16Aとイ軸15Aはケース1Aに固定された。自由端72Aはイ軸15A周りに回転することができる。
【００８２】
ローラ6Bはア軸16Bにより開口4Bに設けられており、シート状カバー7Bには、１つの枢着端71Bと１つの自由端72Bが設けられ、枢着端71Bはイ軸15Bにより開口4Bに枢着されており、枢着端71Bとローラ6Bとが配合して止血用カフ3Bを両者の間に押し付け、枢着端71Bには押さえ突起がさらに設けられることにより、止血用カフ3Bは開口4Bに押さえられ、止血用カフ単体30Bが止血用カフ3Aから分離したとき、止血用カフ3Bの弾性及び復元力によって止血用カフ3Bが収容空間13内に反発されることを避け、ア軸16Bとイ軸15Bはケース1Aに固定された。自由端72Bはイ軸15B周りに回転することができる。
【００８３】
ケース1Aにおける突起5Aと突起5Cは止血用カフ3Aにおける孔31Aに自動に係合されている。止血用カフを抽出する過程において、止血用カフ3Aにおける孔31Aは所定の長さに応じて開設されたものであるため、突起5Aが孔31Aに係合された場合、所定の長さに対する自動な識別を実現できる。同じ理由により、突起5Bと突起5Dは止血用カフ3Bにおける孔31Bに自動に係合されている。止血用カフを抽出する過程において、止血用カフ3Bにおける孔31Bは所定の長さに応じて開設されたものであるため、突起5Bと突起5Dが孔31Bに係合された場合、所定の長さに対する自動な識別を実現できる。
【００８４】
比較例：
本発明と中国特許第200920265929.1号との実験比較結果は以下の通りである。
【００８５】
一：止血用カフの成形方式に基づく比較：
本発明：軸心に従って巻かれて多層成形される；同じ長さの止血用カフの自動ロール時間が短い；効率が高く、一致性がよく、抽出時の引っ張り力が均一で一致する。
【００８６】
従来技術：折り畳むとき、止血用カフにおけるセグメントごとの厚さ、硬度が異なるため、折り畳まれた形状も異なり、抽出時、異なる抵抗が生じ、引っ張り力が均一ではなく、かつ、折り畳んで成形するまでには時間がかかる。
【００８７】
本発明は従来技術と比べて、本発明の成形時間が短く、効率が高く、従来技術の技術成形時間よりも50％高められ、かつ、抽出時の引っ張り力が均一である。
【００８８】
二、抽出時のケースにおける止血用カフの運動方式に基づく比較：
本発明：位置決め軸に応じて軸受と配合して円周運動を行う。
メリット：位置決め軸と台座または軸受との配合を採用したので、軸受けに止血用カフを直接に巻き付け、または、止血用カフを台座に巻き付けてから軸受けとさらに配合し、または、台座に止血用カフを巻き付けてから位置決め軸とさらに配合し、回転時の抵抗が非常に小さい。抽出時、必要とされる引っ張り力は非常に小さく、引っ張り力も均一である。
【００８９】
従来技術：S形運動。デメリット：抽出時の抵抗が大きく、均一ではない。
【００９０】
本発明は、従来技術と比べて、本発明の抽出時の引っ張り力が小さく、引っ張り力も均一である。
【００９１】
三、所定の長さ（止血用カフ単体の長さ）、位置決め時間及び正確度からすれば：
本発明：抽出過程において、自動に位置決める。位置決めの正確度：100％。
従来技術：目測後、バヨネットを接線孔に挿入する必要がある。位置決めの正確度：80％。
【００９２】
位置決めにかかる時間：本発明では、位置決めと抽出とが同期的に行われるため、余計な時間がかからない。それに対して、従来技術では、毎回の止血用単体の位置決めにかかる時間は2〜5秒となる。
【００９３】
本発明は、従来技術と比べて、本発明には余計な位置決め時間がかからないが、従来技術では位置決め時間が長い。
【００９４】
四、速度が1cm/秒で等速かつ水平な抽出付勢力に基づく比較：
本発明：0.3-0.4N。
従来技術：0.9-1.1N。
本発明における抽出付勢力は、従来技術における抽出付勢力の30％に過ぎない。
【００９５】
五、止血用カフの破裂分離に必要な引っ張り力
本発明：実験方法：止血用カフを突起に固定し、引張力ゲージにより、フックを引き抜いて止血用カフの一端に引っ張り、その端は突起までの距離が 40mmに設定され、止血用カフが破裂して分離するまで、45°で水平に下へ引っ張り、その最高値を測定し、テストを繰返して10回行い、平均値をとる。本発明における止血用カフの破裂分離に必要な引っ張り力は4.5Nである。
【００９６】
従来技術：実験方法：止血用カフを突起に固定して接線に挿入し、引張力ゲージにより、フックを引き抜いて止血用カフの一端に引っ張り、その端は突起までの距離が 40mmに設定され、止血用カフが破裂して分離するまで、45°で水平に下へ引っ張り、その最高値を測定し、テストを繰返して10回行い、平均値をとる。従来技術における止血用カフの破裂分離に必要な引っ張り力は11Nである。
【００９７】
本発明における破裂分離に必要な力は、従来技術における破裂分離に必要な力の40％となる。
【００９８】
六、破裂分離の成功率からすれば：
本発明：実験方法：止血用カフを突起に固定し、止血用カフの一端を指先でつまみ、その端は突起までの距離が70mmに設定され、45°〜44°で水平に下へ引っ張って分離し、テストを繰返して100回行い、破裂分離の成功率を取る。本発明における破裂分離の成功率は99％となる。
【００９９】
従来技術：実験方法：止血用カフを突起に固定して接線に挿入し、止血用カフの一端を指先でつまみ、その端は突起までの距離が70mmに設定され、45°〜44°で水平に下へ引っ張って分離し、テストを繰返して100回行い、破裂分離の成功率を取る。従来技術における破裂分離の成功率は87%となる。
【０１００】
本発明は、従来技術と比べて、破裂分離の成功率が12％高くなる。
【符号の説明】
【０１０１】
1ケース、1Aケース、11底面、111凹溝、111A凹溝、111B凹溝、12側面、121側面ア、122側面イ、123第1の側面、124第2の側面、125第3の側面、13収容空間、13A収容空間、14位置決め軸、14A位置決め軸、14B位置決め軸、15イ軸、15Aイ軸、15Bイ軸、16ア軸、16Aア軸、16Bア軸、17軸受、171ダンパ軸受、17A軸受、17B軸受、18台座、18A台座、18B台座、
181ブラインドホール、181Aブラインドホール、181Bブラインドホール、182ばね、183スチールボール、2ケースカバー、3止血用カフ、3A止血用カフ、3B止血用カフ、30止血用カフ単体、30A止血用カフ単体、30B止血用カフ単体、31孔、31A孔、31B孔、32接続箇所、32A接続箇所、32B接続箇所、38破裂線、38A破裂線、38B破裂線、4開口、4A開口、4B開口、5突起、5A突起、5B突起、5C突起、5D突起、51最高点、51A最高点、51B最高点、51C最高点、51D最高点、6ローラ、6Aローラ、6Bローラ、7シート状カバー、7Aシート状カバー、7Bシート状カバー、71、71A、71B枢着端、72、72A、72B自由端、73押さえ突起
【図１】
0006530766.tif 000002
【図２】
0006530766.tif 000003
【図３】
0006530766.tif 000004
【図４】
0006530766.tif 000005
【図５】
0006530766.tif 000006
【図６】
0006530766.tif 000007
【図７】
0006530766.tif 000008
【図８】
0006530766.tif 000009
【図９】
0006530766.tif 000010
【図１０】
0006530766.tif 000011
【図１１】
0006530766.tif 000012
【図１２】
0006530766.tif 000013
【図１３】
0006530766.tif 000014